(57)【要約】【課題】テロップ情報の文字部分に色覚障がい者が背景色と区別することができるように色変換処理を施すことにより、色覚障がい者と非色覚障がい者とが同時に視聴する場合、非色覚障がい者にとっては映像が見づらくならず、色覚障がい者にとってはテロップ情報を読み易くなり、両者にとって有効な視聴を実現し得るようにした映像処理装置、映像処理方法及び映像処理用プログラムを提供すること。【解決手段】実施の形態によれば、映像処理装置は、検出手段と補正手段と変換手段とを備える。検出手段は、映像信号に含まれるテロップ情報から文字色と文字周辺の背景色とを検出する。補正手段は、設定された色覚情報に基づいて、検出手段で検出した文字色と背景色との色差を算出し、その色差に応じて文字色に対する補正色を算出する。変換手段は、映像信号に含まれる文字部分の色を補正手段で算出した補正色に変換する。【選択図】    図５
2014123891.tif 000002
【特許請求の範囲】
【請求項１】
映像信号に含まれるテロップ情報から文字色と文字周辺の背景色とを検出する検出手段と、
設定された色覚情報に基づいて、前記検出手段で検出した文字色と背景色との色差を算出し、その色差に応じて文字色に対する補正色を算出する補正手段と、
前記映像信号に含まれる文字部分の色を前記補正手段で算出した補正色に変換する変換手段とを具備する映像処理装置。
【請求項２】
前記補正手段は、算出した色差が予め設定された閾値よりも小さい差である場合に、その色差に応じて文字色に対する補正色を算出する請求項１記載の映像処理装置。
【請求項３】
前記補正手段は、算出した色差が、設定された色覚情報に対応する色覚障がい者にとって色の識別が不可能であると判断することができるほど小さい差である場合に、その色差に応じて文字色に対する補正色を算出する請求項１記載の映像処理装置。
【請求項４】
前記補正手段は、文字色と背景色との色差を最大とするような補正色を算出する請求項１記載の映像処理装置。
【請求項５】
色覚情報設定画面を表示するための操作と、表示された色覚情報設定画面上で色覚情報を設定するための操作とを行なう操作手段を具備する請求項１記載の映像処理装置。
【請求項６】
前記操作手段は、第１色覚異常，第２色覚異常及び第３色覚異常のいずれかを選択的に設定する操作を行なう請求項５記載の映像処理装置。
【請求項７】
前記操作手段は、第１色覚異常，第２色覚異常及び第３色覚異常のいずれの色覚情報も設定しない操作を行なう請求項６記載の映像処理装置。
【請求項８】
検出手段により、映像信号に含まれるテロップ情報から文字色と文字周辺の背景色とを検出し、
補正手段により、設定された色覚情報に基づいて、検出手段で検出した文字色と背景色との色差を算出し、その色差に応じて文字色に対する補正色を算出し、
変換手段により、前記映像信号に含まれる文字部分の色を前記補正手段で算出した補正色に変換する映像処理方法。
【請求項９】
映像信号に含まれるテロップ情報から文字色と文字周辺の背景色とを検出する処理と、
検出した文字色と背景色との色差を、設定された色覚情報に基づいて算出し、その色差に応じて文字色に対する補正色を算出する処理と、
前記映像信号に含まれる文字部分の色を、算出した補正色に変換する処理とを、コンピュータに実行させる映像処理用プログラム。
【発明の詳細な説明】
【技術分野】
【０００１】
この発明の実施の形態は、映像処理装置、映像処理方法及び映像処理用プログラムに関する。
【背景技術】
【０００２】
周知のように、例えばテレビジョン放送受信装置等に代表される映像表示装置にあっては、同一映像フレーム内で色覚障がい者にとって色彩の混同を生じ易い領域を検出し、その検出された領域に対して色覚障がい者が色彩を区別することができるように色変換処理を施す機能が搭載されている。
【０００３】
しかしながら、このような色覚障がい者に対する色変換機能を有する映像表示装置は、まだまだ開発途上にある段階であり、その実用化に際しては種々の点で改良すべき余地が多く残されている。特に、色覚障がい者と非色覚障がい者とが同時に視聴する場合、色変換処理により非色覚障がい者にとって映像が見づらくなってしまうのが現状である。
【先行技術文献】
【特許文献】
【０００４】
【特許文献１】特開２０１１−２５０１６７号公報
【発明の概要】
【発明が解決しようとする課題】
【０００５】
テロップ情報の文字部分に色覚障がい者が背景色と区別することができるように色変換処理を施すことにより、色覚障がい者と非色覚障がい者とが同時に視聴する場合、非色覚障がい者にとっては映像が見づらくならず、色覚障がい者にとってはテロップ情報を読み易くなり、両者にとって有効な視聴を実現し得るようにした映像処理装置、映像処理方法及び映像処理用プログラムを提供することを目的とする。
【課題を解決するための手段】
【０００６】
実施の形態によれば、映像処理装置は、検出手段と補正手段と変換手段とを備える。検出手段は、映像信号に含まれるテロップ情報から文字色と文字周辺の背景色とを検出する。補正手段は、設定された色覚情報に基づいて、検出手段で検出した文字色と背景色との色差を算出し、その色差に応じて文字色に対する補正色を算出する。変換手段は、映像信号に含まれる文字部分の色を補正手段で算出した補正色に変換する。
【図面の簡単な説明】
【０００７】
【図１】実施の形態としてのデジタルテレビジョン放送受信装置の信号処理系の一例を概略的に説明するために示すブロック構成図。
【図２】同実施の形態におけるデジタルテレビジョン放送受信装置に使用されるリモートコントローラを説明するための外観図。
【図３】第１乃至第３色覚異常の色覚障がい者に対する混同線を説明するために示す図。
【図４】同実施の形態におけるデジタルテレビジョン放送受信装置が行なう文字色の色変換処理を説明するために示す図。
【図５】同実施の形態におけるデジタルテレビジョン放送受信装置が備える色変換処理部の一例を説明するために示すブロック構成図。
【図６】同実施の形態における色変換処理部で利用する文字色と背景色との一例を説明するために示す図。
【図７】同実施の形態における色変換処理部が備える色検出部の処理動作の一例を説明するために示すフローチャート。
【図８】同実施の形態におけるデジタルテレビジョン放送受信装置が表示する色覚情報設定画面の一例を説明するために示す図。
【図９】同実施の形態における色変換処理部が備える補正色計算部の処理動作の一例を説明するために示すフローチャート。
【図１０】同実施の形態における色変換処理部が備える色変換部の処理動作の一例を説明するために示すフローチャート。
【発明を実施するための形態】
【０００８】
以下、実施の形態について図面を参照して詳細に説明する。図１は、この実施の形態で説明するデジタルテレビジョン放送受信装置１１の信号処理系の一例を概略的に示している。
【０００９】
すなわち、アンテナ１２で受信したデジタルテレビジョン放送信号は、入力端子１３を介してチューナ部１４に供給されることにより、所望のチャンネルの放送信号が選局される。このチューナ部１４で選局された放送信号は、復調復号部１５に供給されてデジタルの映像信号及び音声信号等に復元された後、信号処理部１６に出力される。
【００１０】
この信号処理部１６は、復調復号部１５から供給されたデジタルの映像信号及び音声信号に対してそれぞれ所定のデジタル信号処理を施している。そして、この信号処理部１６は、デジタルの映像信号を合成処理部１７に出力し、デジタルの音声信号を音声処理部１８に出力している。
【００１１】
このうち、合成処理部１７は、信号処理部１６から供給されるデジタルの映像信号に、ＯＳＤ（on screen display）信号を重畳して出力している。この合成処理部１７から出力されたデジタルの映像信号は、映像処理部１９に供給される。この映像処理部１９は、入力された映像信号に対して、詳細は後述するが色覚障がい者に対する色変換処理を施したり、後段の映像表示部２０で表示可能なフォーマットのアナログ映像信号への変換処理を施したりしている。そして、この映像処理部１９から出力されたアナログの映像信号が、上記映像表示部２０に供給されて映像表示に供される。
【００１２】
また、上記音声処理部１８は、入力されたデジタルの音声信号を、後段のスピーカ２１で再生可能なフォーマットのアナログ音声信号に変換している。そして、この音声処理部１８から出力されたアナログ音声信号が、上記スピーカ２１に供給されることにより音声再生に供される。
【００１３】
ここで、このデジタルテレビジョン放送受信装置１１は、上記した各種の受信動作を含む種々の動作を制御部２２によって統括的に制御されている。この制御部２２は、ＣＰＵ（central processing unit）２２ａを内蔵しており、デジタルテレビジョン放送受信装置１１の本体に設けられた操作部２３からの操作情報、または、リモートコントローラ２４から送信され受光部２５で受信された操作情報を受けることによって、その操作内容が反映されるように各部をそれぞれ制御している。
【００１４】
この場合、制御部２２は、メモリ部２２ｂを利用している。このメモリ部２２ｂは、主として、ＣＰＵ２２ａが実行する制御プログラムを格納したＲＯＭ（read only memory）と、該ＣＰＵ２２ａに作業エリアを提供するためのＲＡＭ（random access memory）と、各種の設定情報及び制御情報等が格納される不揮発性メモリとを有している。
【００１５】
また、この制御部２２には、ＨＤＤ（hard disk drive）２６が接続されている。この制御部２２は、ユーザによる操作部２３やリモートコントローラ２４の操作に基づいて、上記信号処理部１６から得られるデジタルの映像信号及び音声信号をＨＤＤ２６に供給し、暗号化して所定の記録フォーマットに変換した後、ハードディスク２６ａに記録させるように制御することができる。
【００１６】
さらに、この制御部２２は、ユーザによる操作部２３やリモートコントローラ２４の操作に基づいて、ＨＤＤ２６によりハードディスク２６ａからデジタルの映像信号及び音声信号を読み出させて復号化した後、信号処理部１６に供給することによって、以後、上記した映像表示及び音声再生に供させるように制御することができる。
【００１７】
また、この制御部２２には、ネットワークインターフェース２７が接続されている。このネットワークインターフェース２７は、外部のネットワーク回線網２８に接続されている。そして、このネットワーク回線網２８には、当該ネットワーク回線網２８を介した通信機能を利用して各種のサービスを提供するためのネットワークサーバ２９が接続されている。
【００１８】
このため、制御部２２は、ユーザによる操作部２３やリモートコントローラ２４の操作に基づき、ネットワークインターフェース２７及びネットワーク回線網２８を介して、ネットワークサーバ２９にアクセスして情報通信を行なうことにより、そこで提供しているサービスを利用することができるようになっている。
【００１９】
図２は、上記リモートコントローラ２４の外観を示している。このリモートコントローラ２４には、主として、電源キー２４ａ、数字キー２４ｂ、チャンネルアップダウンキー２４ｃ、音量調整キー２４ｄ、カーソル上移動キー２４ｅ、カーソル下移動キー２４ｆ、カーソル左移動キー２４ｇ、カーソル右移動キー２４ｈ、決定キー２４ｉ、メニューキー２４ｊ、戻るキー２４ｋ、終了キー２４ｌ、４色（青，赤，緑，黄）のカラーキー２４ｍ等が設けられている。
【００２０】
また、このリモートコントローラ２７には、再生停止キー２４ｎ、再生／一時停止キー２４ｏ、逆方向スキップキー２４ｐ、順方向スキップキー２４ｑ、早戻しキー２４ｒ、早送りキー２４ｓ等が設けられている。すなわち、上記ＨＤＤ２６に対しては、リモートコントローラ２４の再生停止キー２４ｎや再生／一時停止キー２４ｏを操作することによって、再生、停止、一時停止を行なうことが可能となる。
【００２１】
また、リモートコントローラ２４の逆方向スキップキー２４ｐや順方向スキップキー２４ｑを操作することによって、ＨＤＤ２６でハードディスク２６ａから読み取っている映像や音声等のデータを、その再生方向に対して逆方向や順方向に一定量ずつスキップさせる、いわゆる、逆方向スキップや順方向スキップを行なうことができる。
【００２２】
さらに、リモートコントローラ２４の早戻しキー２４ｒや早送りキー２４ｓ等を操作することにより、ＨＤＤ２６でハードディスク２６ａから読み取っている映像や音声等のデータを、その再生方向に対して逆方向や順方向に連続的に高速で再生させる、いわゆる、早戻し再生や早送り再生を行なうことができる。
【００２３】
ここで、上記した映像処理部１９が行なう色覚障がい者に対する色変換処理について説明する。すなわち、色覚障がいは、第１色覚異常、第２色覚異常及び第３色覚異常の３種類に大別されている。
【００２４】
図３（ａ）は、第１色覚異常の色覚障がい者に対する混同線を説明するためのｘｙ色度図を示している。すなわち、第１色覚異常の色覚障がい者の場合は、赤から黄、緑と伸びる線上、つまり、矢印ａ，ｂで示す線上にある色に対しての識別が困難である。これに対し、第１色覚異常の色覚障がい者は、混同線を横切る線上、つまり、矢印ｃ，ｄで示す線上にある色に対しての識別が可能となっている。
【００２５】
図３（ｂ）は、第２色覚異常の色覚障がい者に対する混同線を説明するためのｘｙ色度図を示している。すなわち、第２色覚異常の色覚障がい者の場合も、赤から黄、緑と伸びる線上にある色に対しての識別が困難であり、混同線を横切る線上にある色に対しての識別が可能となっている。
【００２６】
図３（ｃ）は、第３色覚異常の色覚障がい者に対する混同線を説明するためのｘｙ色度図を示している。すなわち、第３色覚異常の色覚障がい者の場合は、青から黄と伸びる線上にある色に対しての識別が困難であり、混同線を横切る線上にある色に対しての識別が可能となっている。
【００２７】
この実施の形態では、映像信号からテロップ情報を検出し、その文字色と文字周辺の背景色との色差ΔＣを求める。そして、この色差ΔＣが、色覚障がい者にとって色の識別が不可能であると判断されるような小さい差である場合、色覚障がい者が文字色と背景色との識別を行なえるように、文字色に対して色変換処理を施すようにしている。なお、テロップ情報とは、映像フレーム内の文字部分が画素単位で判別可能な情報である。
【００２８】
このように、テロップ情報の文字部分に色覚障がい者が背景色と区別することができるように色変換処理を施すことにより、色覚障がい者と非色覚障がい者とが同時に視聴する場合、非色覚障がい者にとっては映像が見づらくならず、色覚障がい者にとってはテロップ情報を読み易くなり、両者にとって有効な視聴を行なうことができるようになる。
【００２９】
図４は、テロップ情報の文字部分に施す色変換処理について、第１色覚異常の色覚障がい者に対する混同線を表わすｘｙ色度図上で示したものである。すなわち、ｘｙ色度図上において、テロップ情報の文字色が文字色位置αに存在し、文字の背景色が背景色位置βに存在しているとする。
【００３０】
この場合、非色覚障がい者にとっては、文字色位置αと背景色位置βとを直線で結ぶ線分の長さが、文字色と背景色との色差となる。これに対し、第１色覚異常の色覚障がい者は、前述したように、混同線に沿って存在する色に対しての識別が困難であり、混同線を横切る方向に沿って存在する色に対しての識別が可能である。このため、背景色位置βから、混同線を横切る方向に、文字色位置αを通る混同線ｋまでを直線で結ぶ線分ｉの長さが、第１色覚異常の色覚障がい者にとっての文字色と背景色との色差ΔＣとなる。
【００３１】
そして、この色差ΔＣが、第１色覚異常の色覚障がい者にとって色の識別が不可能であると判断することができるほど小さい差である場合、つまり、色差ΔＣが予め設定された所定の閾値Ｄより小さい差である場合（ΔＣ＜Ｄ）、文字色位置αに存在する文字色に対して色変換処理を施している。
【００３２】
この色変換処理は、第１色覚異常の色覚障がい者にとっての文字色と背景色との色差ΔＣを最大にする、つまり、背景色位置βから混同線を横切る方向に伸ばした線分ｉの長さを最大にするように、文字色位置αに存在する文字色を変換するものである。図４に示した例では、文字色が文字色位置γに存在するように色変換処理を施すことにより、背景色位置βから、混同線を横切る方向に、文字色位置γを通る混同線ｊまでを直線で結ぶ線分の長さ、つまり、第１色覚異常の色覚障がい者にとっての文字色と背景色との色差ΔＣを最大にすることができる。
【００３３】
図５は、上記した文字色に対する色変換処理を行なうための色変換処理部３０の一例を示している。すなわち、この色変換処理部３０は、上記合成処理部１７から出力された映像信号が供給される入力端子３１を備えている。この入力端子３１に供給された映像信号は、テロップ検出部３２、色検出部３３及び色変換部３４にそれぞれ供給される。
【００３４】
このうち、テロップ検出部３２は、入力された映像信号からテロップ情報を検出して、色検出部３３及び色変換部３４に供給している。そして、色検出部３３は、入力されたテロップ情報から文字色Ｔ（ｒ，ｇ，ｂ）を算出するとともに、入力された映像信号から背景色Ｂ（ｒ，ｇ，ｂ）を算出する。
【００３５】
図６は、色検出部３３が算出する文字色Ｔ（ｒ，ｇ，ｂ）と背景色Ｂ（ｒ，ｇ，ｂ）とについての一例を示している。すなわち、文字色Ｔ（ｒ，ｇ，ｂ）は、入力されたテロップ情報から文字部分についての平均色を算出しており、背景色Ｂ（ｒ，ｇ，ｂ）は、入力された映像信号の文字部分を含む最小の矩形（図６で点線で示す）の内部から、文字部分を除いた背景部分についての平均色を算出している。
【００３６】
図７は、上記色検出部３３が文字色Ｔ（ｒ，ｇ，ｂ）及び背景色Ｂ（ｒ，ｇ，ｂ）を算出する処理動作の一例をまとめたフローチャートを示している。すなわち、処理が開始（ステップＳ７ａ）されると、色検出部３３は、ステップＳ７ｂで、入力端子３１から映像信号を入力し、テロップ検出部３２からテロップ情報を入力する。
【００３７】
その後、色検出部３３は、ステップＳ７ｃで、入力されたテロップ情報から文字部分における画素の平均色を算出するとともに、入力された映像信号の文字部分を含む最小の矩形の内部から、文字部分を除いた背景部分における画素の平均色を算出する。そして、色検出部３３は、ステップＳ７ｄで、文字部分についての平均色を文字色Ｔ（ｒ，ｇ，ｂ）として出力するとともに、背景部分についての平均色を背景色Ｂ（ｒ，ｇ，ｂ）として出力し、処理を終了（ステップＳ７ｅ）する。
【００３８】
上記のようにして色検出部３３から出力された文字色Ｔ（ｒ，ｇ，ｂ）及び背景色Ｂ（ｒ，ｇ，ｂ）は、補正色計算部３５に供給される。この補正色計算部３５は、色検出部３３から供給された文字色Ｔ（ｒ，ｇ，ｂ）と背景色Ｂ（ｒ，ｇ，ｂ）との色差ΔＣが、所定の閾値Ｄより小さい場合（ΔＣ＜Ｄ）、当該文字色Ｔ（ｒ，ｇ，ｂ）に代わる補正色Ｔ´（ｒ，ｇ，ｂ）を算出している。
【００３９】
この場合、文字色Ｔ（ｒ，ｇ，ｂ）と背景色Ｂ（ｒ，ｇ，ｂ）との色差ΔＣや、その色差ΔＣに基づいて算出する補正色Ｔ´（ｒ，ｇ，ｂ）等は、上記映像表示部２０の表示映像を視聴するユーザが、第１乃至第３色覚異常のいずれの色覚障がい者であるかによって異なる。このため、補正色計算部３５には、ユーザが第１乃至第３色覚異常のいずれの色覚障がい者であるかを示す色覚情報が、入力端子３６を介して設定されるようになっている。
【００４０】
この色覚情報は、ユーザによって予め設定される。この設定は、ユーザが上記リモートコントローラ２４のメニューキー２４ｊを操作して、階層構造となされた複数のメニュー画面に分け入ることにより、図８に示すような、色覚情報設定画面３７を映像表示部２０に表示させることによって実現される。
【００４１】
この色覚情報設定画面３７には、「オフ」、「第１色覚異常」、「第２色覚異常」及び「第３色覚異常」なる４つの項目が表示されており、ユーザがカーソル上または下移動キー２４ｅ，２４ｆを操作して所望の項目を選択し、決定キー２４ｉを操作することによって、色覚情報の設定が行なわれる。なお、「オフ」の項目が選択されて決定された場合には、文字色に対して色変換処理を行なわない通常モードとなる。
【００４２】
そして、第１色覚異常の場合、文字色Ｔ（ｒ，ｇ，ｂ）と背景色Ｂ（ｒ，ｇ，ｂ）との色差ΔＣは、
ΔＣ＝[0.11×T(r)＋0.89×T(g)−0.11×B(r)−0.89×B(g)]＾2＋[T(b)−B(b)]＾2
で与えられる。
【００４３】
また、第２色覚異常の場合、文字色Ｔ（ｒ，ｇ，ｂ）と背景色Ｂ（ｒ，ｇ，ｂ）との色差ΔＣは、
ΔＣ＝[0.3×T(r)＋0.7×T(g)−0.3×B(r)−0.7×B(g)]＾2＋[T(b)−B(b)]＾2
で与えられる。
【００４４】
さらに、第３色覚異常の場合、文字色Ｔ（ｒ，ｇ，ｂ）と背景色Ｂ（ｒ，ｇ，ｂ）との色差ΔＣは、
ΔＣ＝[T(r)−B(r)]＾2＋[T(g)−B(g)]＾2
で与えられる。
【００４５】
ここで、ΔＣ＜Ｄであるとすると、第１色覚異常の色覚障がい者に対する文字の補正色Ｔ´（ｒ，ｇ，ｂ）、つまり、色差ΔＣを最大にする補正色Ｔ´（ｒ，ｇ，ｂ）は、色の階調が０〜２５５段階であるとき、
T’(r,g,b)＝[max{0.11×B(r)＋0.89×B(g)−0，255−0.11×B(r)−0.89×B(g)}，T’(r)，max{B(g)−0，255−B(g)}]
で設定される。なお、max（ａ，ｂ）は、ａ，ｂの大きい方の値をとることを意味する。
【００４６】
また、第２色覚異常の色覚障がい者に対する文字の補正色Ｔ´（ｒ，ｇ，ｂ）は、
T’(r,g,b)＝[max{0.3×B(r)＋0.7×B(g)−0，255−0.3×B(r)−0.7×B(g)}，T’(r)，max{B(g)−0，255−B(g)}]
で設定される。
【００４７】
さらに、第３色覚異常の色覚障がい者に対する文字の補正色Ｔ´（ｒ，ｇ，ｂ）は、
T’(r,g,b)＝[max{B(r)−0，255−B(r)}，max{B(g)−0，255−B(g)}，T(b)]
で設定される。
【００４８】
なお、色差ΔＣが所定の閾値Ｄ以上である場合（ΔＣ≧Ｄ）には、色の識別が可能であるとして色覚異常の段階に無関係に
Ｔ´（ｒ，ｇ，ｂ）＝Ｔ（ｒ，ｇ，ｂ）
に設定される。
【００４９】
図９は、上記補正色計算部３５が文字色Ｔ（ｒ，ｇ，ｂ）と背景色Ｂ（ｒ，ｇ，ｂ）とから色差ΔＣを算出し、その色差ΔＣが所定の閾値Ｄより小さい場合（ΔＣ＜Ｄ）に、当該文字色Ｔ（ｒ，ｇ，ｂ）に代わる補正色Ｔ´（ｒ，ｇ，ｂ）を算出する処理動作の一例をまとめたフローチャートを示している。
【００５０】
すなわち、処理が開始（ステップＳ９ａ）されると、補正色計算部３５は、ステップＳ９ｂで、色検出部３３から文字色Ｔ（ｒ，ｇ，ｂ）と背景色Ｂ（ｒ，ｇ，ｂ）とを入力するとともに、入力端子３６を介して色覚情報を入力する。そして、補正色計算部３５は、ステップＳ９ｃで、入力された色覚情報に基づいて、その色覚障がい者にとっての文字色Ｔ（ｒ，ｇ，ｂ）と背景色Ｂ（ｒ，ｇ，ｂ）との色差ΔＣを算出する。
【００５１】
その後、補正色計算部３５は、ステップＳ９ｄで、色差ΔＣが所定の閾値Ｄより小さいか否かを判別し、ΔＣ＜Ｄであると判断された場合（ＹＥＳ）、ステップＳ９ｅで、補正色Ｔ´（ｒ，ｇ，ｂ）を算出し、ステップＳ９ｆで、補正色Ｔ´（ｒ，ｇ，ｂ）を出力して、処理を終了（ステップＳ９ｇ）する。
【００５２】
また、上記ステップＳ９ｄでΔＣ＜Ｄでないと判断された場合（ＮＯ）、補正色計算部３５は、入力された文字色Ｔ（ｒ，ｇ，ｂ）を補正色Ｔ´（ｒ，ｇ，ｂ）として出力し、処理を終了（ステップＳ９ｇ）する。
【００５３】
上記のようにして補正色計算部３５から出力された補正色Ｔ´（ｒ，ｇ，ｂ）は、色変換部３４に供給される。この色変換部３４は、入力された映像信号のテロップ情報の文字色を、補正色計算部３５から供給された補正色Ｔ´（ｒ，ｇ，ｂ）に変換し、出力端子３８から出力している。この出力端子３８から出力された映像信号は、上記映像表示部２０での映像表示に供される。
【００５４】
図１０は、上記色変換部３４がテロップ情報の文字色を補正色Ｔ´（ｒ，ｇ，ｂ）に変換する処理動作の一例をまとめたフローチャートを示している。すなわち、処理が開始（ステップＳ１０ａ）されると、色変換部３４は、ステップＳ１０ｂで、入力端子３１から映像信号を入力し、テロップ検出部３２からテロップ情報を入力し、補正色計算部３５から補正色Ｔ´（ｒ，ｇ，ｂ）を入力する。その後、色変換部３４は、ステップＳ１０ｃで、入力された映像信号に含まれるテロップ情報の文字部分の色を補正色Ｔ´（ｒ，ｇ，ｂ）に変換し、ステップＳ１０ｄで、文字色の変換された映像信号を出力して、処理を終了（ステップＳ１０ｅ）する。
【００５５】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００５６】
１１…デジタルテレビジョン放送受信装置、１２…アンテナ、１３…入力端子、１４…チューナ部、１５…復調復号部、１６…信号処理部、１７…合成処理部、１８…音声処理部、１９…映像処理部、２０…映像表示部、２１…スピーカ、２２…制御部、２２ａ…ＣＰＵ、２２ｂ…メモリ部、２３…操作部、２４…リモートコントローラ、２５…受光部、２６…ＨＤＤ、２６ａ…ハードディスク、２７…ネットワークインターフェース、２８…ネットワーク回線網、２９…ネットワークサーバ、３０…色変換処理部、３１…入力端子、３２…テロップ検出部、３３…色検出部、３４…色変換部、３５…補正色計算部、３６…入力端子、３７…色覚情報設定画面、３８…出力端子。
【図１】
2014123891.tif 000003
【図２】
2014123891.tif 000004
【図３】
2014123891.tif 000005
【図４】
2014123891.tif 000006
【図５】
2014123891.tif 000007
【図６】
2014123891.tif 000008
【図７】
2014123891.tif 000009
【図８】
2014123891.tif 000010
【図９】
2014123891.tif 000011
【図１０】
2014123891.tif 000012